(57)【要約】      （修正有）【課題】ペットにとって餌が食べやすいように餌皿の角度を簡単に調整することができ、餌や水がこぼれにくく、使い勝手に優れ、しかも安価に提供することができるペット用食器を提供すること。【解決手段】餌又は水を入れる餌皿１０と、餌皿１０を載置可能な受台２０と、受台２０と餌皿１０との間に配設され、餌皿１０の配置角度を調整する餌皿角度調整具３０とを装備する。餌皿角度調整具３０の第２の係止部３４を受台２０の支持枠２１に係止させると、餌皿１０の上端部１２を含む面を所定の角度αに傾斜させることができる。【選択図】図３                                                      
0003118370.tif 000002
【実用新案登録請求の範囲】
【請求項１】
餌又は水を入れる餌皿と、
該餌皿を載置可能な受台と、
該受台と前記餌皿との間に配設され、該餌皿の配置角度を調整する餌皿角度調整具とを備えていることを特徴とするペット用食器。
【請求項２】
前記餌皿角度調整具が、所定長さの弾性部材を曲げ加工したものから構成され、        該弾性部材の両端部に、前記受台に係止させる第１の係止部が形成され、
前記弾性部材の中間部に、前記受台に係止させる第２の係止部が形成され、
該第２の係止部が前記第１の係止部よりも下方位置に設けられていることを特徴とする請求項１記載のペット用食器。
【請求項３】
前記受台が、前記餌皿を直接又は前記餌皿角度調整具を介して支持する支持枠と、
該支持枠に固着された少なくとも３本以上の脚部とを含んで構成され、
前記餌皿角度調整具の前記第１の係止部と前記第２の係止部とが、前記支持枠の内側から該支持枠へ着脱自在に係止されるように構成されていることを特徴とする請求項２記載のペット用食器。                                                                    
【請求項４】
前記餌皿角度調整具の長さ、又は前記受台の脚部の位置が、前記餌皿角度調整具の前記第１の係止部を前記受台の脚部にそれぞれ当接させて該当接方向への前記餌皿角度調整具の位置ずれが規制されるように設定されていることを特徴とする請求項３記載のペット用食器。
【請求項５】
前記受台の脚部の下端部に滑り止め部材が装着されていることを特徴とする請求項３又は請求項４記載のペット用食器。
【請求項６】
前記餌皿の上端部の外周部が下方へ折り返され、該折り返された上端部により前記支持枠及び前記餌皿角度調整具を係止させるための係止部が形成されていることを特徴とする請求項３〜５のいずれかの項に記載のペット用食器。
【請求項７】
前記餌皿が琺瑯製であることを特徴とする請求項１〜６のいずれかの項に記載のペット用食器。
【請求項８】
琺瑯のガラス質層に、銀イオン又は銅イオンを含むことを特徴とする請求項７記載のペット用食器。
【考案の詳細な説明】
【技術分野】
【０００１】
本考案はペット用食器に関し、より詳細には、犬や猫などのペットに餌や水を与えるためのペット用食器に関する。
【背景技術】
【０００２】
犬、猫などのペット用食器には、プラスチック製、ステンレス鋼製、アルミニウム製、陶器製等のものがあり、ペットには、餌の他、水も与えなければならないので、１つの容器を給餌と給水に兼用したり、２つの容器を準備して使い分けたりすることが行われている。
【０００３】
通常、猫に対しては、その特性上、室内で給餌、給水されていることが多い。最近、犬などのペットも小型の場合、室内で飼われることが増えてきており、そのような場合には、犬に対しても室内で給餌、給水される。犬、猫などのペットは、摂餌、摂水中に食器の回りに餌や水をこぼすことが多い。その対策として、もっとも手短な方法は、給餌、給水の際に、食器の下にシートを敷くことなどである。
【０００４】
また、餌や水がこぼれるのを防止することができるペット用食器も提案されている。例えば、下記の特許文献１には、外皿と内皿とを設け、内皿に盛った餌がこぼれても外皿で受け止められるようになったペット用食器が提案されており、下記の特許文献２には、食器内の餌が飛び出さないように、皿状容器の上方外周部に餌飛び防止枠を設けた食器が提案されている。
【０００５】
特許文献１や特許文献２に開示されているようなペット用食器を用いることによって、餌や水が食器の外にこぼれることをある程度防止できると考えられる。しかし、特に特許文献２に開示されているペット用食器の場合には、餌飛び防止枠が設けられているので、ペットにとって食べやすい食器とは言えない。
【０００６】
そこで本考案者は、下記の特許文献３において、上記問題点を解決するペット用食器を提案している。図４（ａ）、（ｂ）は、特許文献３に開示されたペット用食器の構造を示した断面図である。ペット用食器５０は、餌皿５１と、餌皿５１を載置する受台５２とを含んで構成され、受台５２の上端部５２ａに餌皿５１の下端部５１ａが載置された状態で使用に供されるものであって、受台５２の上端部５２ａを含む面が、受台５２を水平面に置いた状態で水平に対して所定の傾きβを有し、餌皿５１の下端部５１ａを含む面が、餌皿５１の上端部５１ｂを含む面に対して、所定の傾きβに相当する傾きを有した構成となっている。
【０００７】
本考案者が提案したペット用食器５０によれば、ペットへの給水時には餌皿５１の上端部５１ｂを受台５２の底面に対して平行な状態で使用することができ（図４（ａ）の状態）、他方給餌時には、餌皿５１の上端部５１ｂが傾くように使用することができ（図４（ｂ）の状態）、ペットにとって餌が食べやすく、餌や水がこぼれにくく、さらに見映えや清潔感に優れるとともに、使い勝手に優れたものとすることができるものの、デザイン性に優れている分、コストが高く付くという問題があった。また、図４（ａ）に示した状態から図４（ｂ）に示した状態に切り換える際には、餌皿５１を一旦持ち上げて水平方向に１８０°回転させて、餌皿５１の下端部５１ａを受台５２の突起５２ｂに正確に位置合わせして配置しなければならず、餌皿５１の傾斜状態をワンタッチで切り換えることができない不便さがあった。
【特許文献１】特開平１１−３４１９３１号公報
【特許文献２】特開２００３−５２２６４号公報
【特許文献３】実用新案登録第３１０４１５２号公報
【考案の開示】
【課題を解決するための手段及びその効果】
【０００８】
本考案は上記課題に鑑みなされたものであって、ペットにとって餌が食べやすいように餌皿の角度を簡単に調整することができ、餌や水がこぼれにくく、使い勝手に優れ、しかも安価に提供することができるペット用食器を提供することを目的としている。
【０００９】
すなわち本考案に係るペット用食器（１）は、餌又は水を入れる餌皿と、該餌皿を載置可能な受台と、該受台と前記餌皿との間に配設され、該餌皿の配置角度を調整する餌皿角度調整具とを備えていることを特徴としている。
【００１０】
上記ペット用食器（１）によれば、前記受台と前記餌皿との間に、該餌皿の配置角度、すなわち前記餌皿の上端部を含む面と前記受台の上端部を含む面とのなす角を調整する餌皿角度調整具が配設されているので、該餌皿角度調整具を用いて前記餌皿の配置角度を容易に調整することができる。例えば、ペットへの給水時には、前記餌皿角度調整具の機能を使用せずに、前記餌皿の開口面を略水平な状態にすることで水がこぼれにくく、他方ペットへの給餌時には、前記餌皿角度調整具を使用して前記餌皿の上端部を含む面が傾くように調整することにより、ペットにとって餌が食べやすく、結果的に食器の回りにこぼれる餌を少なくできる。さらに、食器の数が１つで済むので、使用後の洗浄や収納が楽であり、使い勝手に優れたものとすることができる。
【００１１】
また本考案に係るペット用食器（２）は、上記ペット用食器（１）において、前記餌皿角度調整具が、所定長さの弾性部材を曲げ加工したものから構成され、該弾性部材の両端部に、前記受台に係止させる第１の係止部が形成され、前記弾性部材の中間部に、前記受台に係止させる第２の係止部が形成され、該第２の係止部が前記第１の係止部よりも下方位置に設けられていることを特徴としている。
【００１２】
上記ペット用食器（２）によれば、前記餌皿角度調整具が、所定長さの弾性部材を曲げ加工したものから構成されているので、前記餌皿角度調整具を安価な材料、例えば、針金等のワイヤー部材等で形成することができ、コストアップを抑えることができる。また、前記第２の係止部が前記第１の係止部よりも下方位置に設けられているので、前記第１の係止部と前記第２の係止部とをそれぞれ前記受台に係止させることにより、前記弾性部材の中間部から前記弾性部材の両端部にかけて下りの傾斜が形成され、該傾斜した前記弾性部材からなる傾斜枠に前記餌皿を載置することにより、前記餌皿の上端部を含む面を所定の角度に傾斜させることができる。すなわち、前記第２の係止部の前記受台への係止状態を切り替えるだけで、前記餌皿の傾斜角度、すなわち、給餌から給水への変更又はその逆を迅速かつ容易に行うことができ、取り扱い性に優れたものとすることができる。
【００１３】
また本考案に係るペット用食器（３）は、上記ペット用食器（２）において、前記受台が、前記餌皿を直接又は前記餌皿角度調整具を介して支持する支持枠と、該支持枠に固着された少なくとも３本以上の脚部とを含んで構成され、前記餌皿角度調整具の前記第１の係止部と前記第２の係止部とが、前記支持枠の内側から該支持枠へ着脱自在に係止されるように構成されていることを特徴としている。
【００１４】
上記ペット用食器（３）によれば、前記受台が、前記餌皿を直接又は前記餌皿角度調整具を介して支持する支持枠と、該支持枠に固着された少なくとも３本以上の脚部とを含んで構成されているので、シンプルな構成により前記受台を安価なものとすることができる。また、前記餌皿角度調整具の前記第１の係止部と前記第２の係止部とが、前記支持枠の内側から該支持枠へ着脱自在に係止されるように構成されているので、前記第１の係止部と前記第２の係止部とが前記弾性部材のバネ力（復元力）により前記支持枠から容易に外れないように係止させることができる。一方、前記第２の係止部の前記支持枠への係止状態を片手のみで容易に切り換えることができ、前記餌皿の傾斜角度、すなわち、給餌から給水への変更又はその逆を迅速かつ容易にワンタッチで行うことができ、取り扱い性に一層優れたものとすることができる。
【００１５】
また本考案に係るペット用食器（４）は、上記ペット用食器（３）において、前記餌皿角度調整具の長さ、又は前記受台の脚部の位置が、前記餌皿角度調整具の前記第１の係止部を前記受台の脚部にそれぞれ当接させて該当接方向への前記餌皿角度調整具の位置ずれが規制されるように設定されていることを特徴としている。
【００１６】
上記ペット用食器（４）によれば、前記餌皿角度調整具の位置ずれが規制されることにより、摂餌中に前記第１の係止部や前記第２の係止部が前記支持枠から外れて、その弾みで前記餌皿内の餌がこぼれたりするのを防止することができ、前記餌皿を傾斜配置させた際の安定性を高めることができる。
【００１７】
また本考案に係るペット用食器（５）は、上記ペット用食器（３）又は（４）において、前記受台の脚部の下端部に滑り止め部材が装着されていることを特徴としている。
上記ペット用食器（５）によれば、前記受台の脚部の下端部に滑り止め部材が装着されているので、犬や猫などのペットが、摂餌、摂水中に、前記受台が滑って位置ずれするのを防止することができ、前記受台が容易に動かないように安定した据え置きが可能となる。
【００１８】
また本考案に係るペット用食器（６）は、上記ペット用食器（３）〜（５）のいずれかにおいて、前記餌皿の上端部の外周部が下方へ折り返され、該折り返された上端部により前記支持枠及び前記餌皿角度調整具を係止させるための係止部が形成されていることを特徴としている。
上記ペット用食器（６）によれば、前記餌皿を前記支持枠及び前記餌皿角度調整具に安定した状態で係止させることができる。
【００１９】
また本考案に係るペット用食器（７）は、上記ペット用食器（１）〜（５）のいずれかにおいて、前記餌皿が琺瑯製であることを特徴としている。
上記ペット用食器（７）によれば、前記餌皿が琺瑯製であるので、琺瑯の持つ長所を発揮させることができる。すなわち、琺瑯には美しい色合いと光沢があるので、美観に優れている。室内に置いてもインテリアとしての装飾性を持たせることさえ可能である。また、汚れにくく清潔感に優れること、表面が滑らかなため汚れても洗いやすいこと、耐食性・耐久性に優れること、その他保温性、耐熱性等多くの長所がある。したがって、高級感に溢れるとともに、使い勝手のいいペット用食器を得ることができる。
【００２０】
また本考案に係るペット用食器（８）は、上記ペット用食器（６）において、琺瑯のガラス質層に、銀イオン又は銅イオンを含むことを特徴としている。
上記ペット用食器（８）によれば、ガラス質層（琺瑯層）に銀イオン又は銅イオンを含むので、これらイオンの抗菌作用により食器表面の雑菌の繁殖が抑えられ、清潔なペット用食器にすることができる。
【考案を実施するための最良の形態】
【００２１】
以下、本考案に係るペット用食器の実施の形態を図面に基づいて説明する。図１、図２は、実施の形態に係るペット用食器を模式的に示した斜視図であり、餌皿を受台から分離した状態を示している。なお、図１は、ペットに対して給水を行うのに適した状態、図２は、ペットに対して給餌を行うのに適した状態を示している。
【００２２】
ペット用食器１は、餌又は水を入れる餌皿１０と、餌皿１０を載置可能な受台２０と、受台２０と餌皿１０との間に配設され、受台２０と餌皿１０との間に配設され、餌皿１０の配置角度を調整する餌皿角度調整具３０とを含んで構成されている。
【００２３】
餌皿１０は、有底逆円錐形状をした凹部１１と、凹部１１の縁にあたる上端部１２と、上端部１２から下方に折り返された折り返し部１３とを含んで構成されており、凹部１１の外周壁と上端部１２と折り返し部１３とで形成された逆凹部（係止部）１４に、受台２０と餌皿角度調整具３０とが係止されるようになっている。なお、凹部１１の形状は、ペットが底に残る餌を食べやすいように、また使用後の洗浄等の後始末がしやすい形状であればよく、有底逆円錐形状の他には、例えば、半球形状などが好ましい。                  
【００２４】
また、餌皿１０は、通常のペット用食器に用いられるプラスチック、ステンレス鋼、アルミニウム、陶器等の材料で構成することができるが、琺瑯製とするのが好ましい。琺瑯製品は、鋼等の金属材料の表面にガラス質の琺瑯がコーティングされたものであり、餌皿１０を琺瑯製とすることにより、琺瑯の持つ長所を効果的に発揮させることができる。すなわち、琺瑯には、美しい色合いと光沢があるので、美観に優れたものとなる。室内のインテリアとしての装飾性を持たせることさえ可能である。また、汚れにくく清潔感に優れること、表面が滑らかなため汚れても洗いやすいこと、耐食性・耐久性に優れること、その他保温性、耐熱性等多くの長所がある。したがって、高級感に溢れるとともに、使い勝手のいいペット用食器１が得られる。また、別の実施の形態では、琺瑯のガラス質層に、銀イオン又は銅イオンを含む構成としてもよく、係る構成によれば、これらイオンの抗菌作用により食器表面の雑菌の繁殖が抑えられ、一層清潔なペット用食器１にすることが可能となる。
【００２５】
受台２０は、餌皿１０を直接又は餌皿角度調整具３０を介して支持する円環形状をした支持枠２１と、所定間隔を設けて支持枠２１に固着された５本の脚部２２ａ〜２２ｅとを含んで構成されている。脚部２２ａ〜２２ｅの中間部に固着された円環形状をした補強枠２３は、脚部２２ａ〜２２ｅと支持枠２１との固着形態に応じて設けられるものであり、なくてもよい。また、脚部２２ａ〜２２ｅの各下端部には滑り止め用のゴムキャップ２４が装着されている。なお、支持枠２１の外径は、支持枠２１と脚部２２ａ〜２２ｅの上端部とが餌皿１０の係止部１４内に納まるサイズに設定されている。
【００２６】
餌皿角度調整具３０は、所定長さの弾性部材、この場合、１本の金属製のワイヤー部材３１を曲げ加工したものから構成され、ワイヤー部材３１の両端部に、受台２０の支持枠２１に係止させる第１の係止部３２、３３がそれぞれ形成され、ワイヤー部材３１の中間部に、受台２０の支持枠２１に係止させる第２の係止部３４が形成され、第２の係止部３４が第１の係止部３２、３３よりも下方位置に設けられている。第１の係止部３２、３３と第２の係止部３４とは、支持枠２１の内側から支持枠２１へ着脱自在に係止されるように屈曲形成されており、ワイヤー部材３１を円弧状に曲げた際の復元力により、支持枠２１へ係止されるようになっている。
【００２７】
なお、餌皿角度調整具３０の長さと受台２０の脚部２２ｂ、２２ｄの位置とが、餌皿角度調整具３０の第１の係止部３２、３３を受台２０の脚部２２ｂ、２２ｄにそれぞれ当接させて該当接方向への餌皿角度調整具３０の位置ずれが規制されるように設定されている。また、金属製のワイヤー部材３１の代わりに、樹脂製の棒部材を曲げ加工したもので餌皿角度調整具を構成することも可能である。
【００２８】
図３は、実施の形態に係るペット用食器１の構造を示す側面図であり、（ａ）は、ペットに対して給水を行うのに適した状態、（ｂ）は、ペットに対して給餌を行うのに適した状態を示している。
【００２９】
図３（ａ）に示すように、ペットに対して給水を行う際には、餌皿１０の上端部１２を含む面が略水平となるように、餌皿角度調整具３０の第２の係止部３４を受台２０の支持枠２１に係止させていない状態にする。すなわち、第２の係止部３４の先端部を指等で内側に押し込むと、第２の係止部３４の支持枠２１への係止状態が解除され、餌皿１０の重さによって、第２の係止部３４が下に押し込まれ、ワイヤー部材３１で支持されていた餌皿１０の傾斜角度が小さくなり、その後図３（ａ）に示した状態、すなわち、餌皿１０の上端部１２を含む面が略水平となり、水がこぼれにくい状態となる。
【００３０】
一方、図３（ｂ）に示すように、ペットに対して給餌を行う際には、餌皿１０の上端部１２を含む面と支持枠２１の面とが所定の角度αとなるように餌皿角度調整具３０の第２の係止部３４を受台２０の支持枠２１に係止させた状態にする。すなわち、図３（ａ）に示した状態から第２の係止部３４を指等で押し上げると、ワイヤー部材３１で支持された餌皿１０の傾斜角度が大きくなり、第２の係止部３４が支持枠２１に係止されると、図（ｂ）に示した状態、すなわち、餌皿１０の上端部１２を含む面と支持枠２１の面とが所定の角度αとなり、餌皿１０の上端部１２が傾き、ペットにとって餌が食べやすい状態となる。このように、餌皿角度調整具３０に形成された第２の係止部３４の支持枠２１への係止状態を切り換えることにより、餌皿の傾斜角度をワンタッチで簡単に切り換えることが可能となっている。
【００３１】
上記実施の形態に係るペット用食器１によれば、受台２０と餌皿１０との間に、餌皿１０の配置角度、すなわち餌皿１０の上端部１２を含む面と受台２０の上端部１２を含む面とのなす角を調整する餌皿角度調整具３０が配設されているので、餌皿角度調整具３０を用いて餌皿１０の配置角度を容易に調整することができる。例えば、ペットへの給水時には、餌皿角度調整具３０の機能を使用せずに、餌皿１０の開口面を略水平な状態にすることで水がこぼれにくく、他方、ペットへの給餌時には、餌皿角度調整具３０を使用して餌皿１０の上端部１２を含む面が傾くように調整することにより、ペットにとって餌が食べやすく、結果的に食器の回りにこぼれる餌を少なくできる。さらに、食器の数が１つで済むので、使用後の洗浄や収納が楽であり、使い勝手に優れたものとすることができる。
【００３２】
また、餌皿角度調整具３０が、１本の金属製のワイヤー部材３１を曲げ加工したものから構成されているので、餌皿角度調整具３０を安価な材料で形成することができ、コストアップを抑えることができる。また、第２の係止部３４が第１の係止部３２、３３よりも下方位置に設けられているので、第１の係止部３２、３３と第２の係止部３４とをそれぞれ受台２０の支持枠２１に係止させることにより、ワイヤー部材３１の中間部からワイヤー部材３１の両端部にかけて下りの傾斜が形成され、該傾斜したワイヤー部材３１に餌皿１０を載置することにより、餌皿１０の上端部１２を含む面を所定の角度αに傾斜させることができる。また、第２の係止部３４の支持枠２１への係止状態を片手で簡単に切り換えることができ、餌皿１０の傾斜角度、すなわち、給餌から給水への変更又はその逆を迅速かつ容易にワンタッチで行うことができ、取り扱い性に非常に優れたものとすることができる。
【００３３】
また、受台２０が、餌皿１０を直接又は餌皿角度調整具３０を介して支持する支持枠２１と、支持枠２１に固着された脚部２２ａ〜２２ｅとを含んで構成されているので、シンプルな構成により受台２０を安価なものとすることができ、ペット用食器１にかかるコストを削減することができる。
【００３４】
また、餌皿角度調整具３０の第１の係止部３２、３３と第２の係止部３４とが、支持枠２１の内側から支持枠２１へ着脱自在に係止されるように形成されているので、第１の係止部３２、３３と第２の係止部３４とがワイヤー部材３１のバネ力（復元力）により支持枠２１から容易に外れないように係合させることができる。
【００３５】
また、餌皿角度調整具３０を受台２０の支持枠２１に係止させた際に、餌皿角度調整具３０の位置ずれが規制されるように、餌皿角度調整具３０の長さや受台２０の脚部２２ａ〜２２ｅの位置が設定されているので、摂餌中に第１の係止部３２、３３や第２の係止部３４が支持枠２１から外れて、その弾みで餌皿１０内の餌がこぼれたりするのを防止することができ、餌皿１０を傾斜配置させた際の安定性を高めることができる。
【００３６】
また、受台２０の脚部２２ａ〜２２ｅの下端部に滑り止め用のゴムキャップ２４が装着されているので、犬や猫などのペットが、摂餌、摂水中に、受台２０が滑って位置ずれするのを防止することができ、受台２０が容易に動かないように安定した据え置きが可能となる。
【００３７】
また、餌皿１０の上端部１２の外周部が下方へ折り返され、該折り返された上端部１２により支持枠２１及び餌皿角度調整具３０を係止させるための係止部１４が形成されているので、餌皿１０を支持枠２１及び餌皿角度調整具３０に安定した状態で係止させることができる。
【００３８】
なお、上記実施の形態に係るペット用食器１１では、餌皿角度調整具３０の第２の係止部３４が、ワイヤー部材３１の中間部に１箇所だけ形成されている場合について説明したが、別の実施の形態では、第２の係止部３４をワイヤー部材３１の中間部に並列に複数個形成する構成としても良く、係る構成によれば、餌皿角度調整具３０の係止状態の安定性をより高めることができる。また、さらに別の実施の形態では、第２の係止部３４を縦方向に複数個形成する構成としてもよく、係る構成によれば、ペットの種類やサイズ、餌の量や種類に応じて、餌皿１０の傾斜角度を切り換えることができる。
【００３９】
また、上記実施の形態に係るペット用食器１１では、餌皿１０が平面視円形、受台２０が円環形状である場合について説明したが、餌皿１０の形状は特に限定されるものではなく、平面視四角形以上の角形の餌皿１０とすることもでき、この場合、受台２０の支持枠２１の形状は、餌皿１０の外形に合わせた環状にすればよく、また、餌皿角度調整具３０の形状は支持枠２１の形状を考慮し、支持枠２１に係止させたときにバネ力が作用する形状に形成すればよい。
【図面の簡単な説明】
【００４０】
【図１】本考案の実施の形態に係るペット用食器を模式的に示した斜視図であり、餌皿を受台から分離した状態を示している。
【図２】実施の形態に係るペット用食器を模式的に示した斜視図であり、餌皿を受台から分離した状態を示している。
【図３】実施の形態に係るペット用食器の構造を示す側面図であり、（ａ）は、ペットに対して給水を行うのに適した状態、（ｂ）は、ペットに対して給餌を行うのに適した状態を示している。
【図４】（ａ）、（ｂ）は、従来のペット用食器の構造を示す断面図である。
【符号の説明】
【００４１】
１    ペット用食器
１０  餌皿
２０  受台
２１  支持枠
２２ａ〜２２ｅ  脚部
３０  餌皿角度調整具
３１  ワイヤー部材
３２、３３  第１の係止部
３４  第２の係止部
【図１】
0003118370.tif 000003
【図２】
0003118370.tif 000004
【図３】
0003118370.tif 000005
【図４】
0003118370.tif 000006